(57)【要約】【課題】スマートカードの着脱が容易で、かつ防水も可能にしたカード装着装置の提供を目的とする。【解決手段】接触端子部１１の周囲を囲むようにシール部材１２を備え、スマートカード１００を蓋体３に保持させて蓋体３を閉塞位置に位置させた時にシール部材１２が端子１０１の周囲に密接する構成としたことにより、蓋体３と筐体１との間の空間に水分や埃などの異物が侵入したとしても、異物が接触端子１１ａあるいは端子１０１に付着することを防ぐことができる。【選択図】図１
2010146200.tif 000002
【特許請求の範囲】
【請求項１】
主面に端子を有するカード状メモリ媒体を装着可能なカード装着装置であって、
筐体と、
前記筐体に回動自在に支持され、前記筐体の主面に配された蓋体と、
前記筐体の主面に対向する前記蓋体の内面に形成され、前記カード状メモリ媒体を保持可能な保持部と、
前記筐体における前記蓋体と対向する主面に配され、前記カード状メモリ媒体の前記端子と接触可能な接触端子と、
前記接触端子を配列した接触端子部と、
前記接触端子部の周囲を囲む弾性部材とを備え、
前記蓋体に対向する前記弾性部材の先端面は、前記蓋体が前記筐体の主面に近接する位置にある時、前記蓋体の内面に面状に当接する面当接可能な高さを有する、カード装着装置。
【請求項２】
前記弾性部材は、前記カード状メモリ媒体が保持された前記蓋体が前記筐体の主面に近接する位置にある時、前記カード状メモリ媒体の主面に面当接可能な高さを有する、請求項１記載のカード装着装置。
【請求項３】
前記弾性部材は、前記先端面が、前記接触端子の前記蓋体側端部よりも突出している、請求項１または２記載のカード装着装置。
【請求項４】
前記蓋体は、前記接触端子部および前記弾性部材に重ならない位置に貫通孔が形成されている、請求項１記載のカード装着装置。
【発明の詳細な説明】
【技術分野】
【０００１】
本発明は、主面に端子を有するカード状メモリ媒体を装着可能なカード装着装置に関する。
【背景技術】
【０００２】
近年、ノート型パソコンなどの情報機器は、セキュリティ性を向上させるために、スマートカードと呼ばれるカード状メモリ媒体を着脱可能なスロットを備えているものがある。スマートカードは、国際規格ＩＳＯ７８１６に基づき物理的特性や電気的特性が規格化されている。また、日本工業規格ではＪＩＳＸ６３０３に物理的特性や外部端子の位置・寸法などが規定されている。スマートカードは、例えば幅約９５ｍｍ、奥行約５４ｍｍ、厚さ約０．５〜１．０ｍｍの大きさを有するカード状の本体にＩＣチップ（集積回路）を内蔵し、少なくとも一方の主面にＩＣチップに電気的に接続された端子を露出して配している。ＩＣチップは、セキュリティ情報などの各種情報を記憶することができる機能を備えたものや、演算処理を実行することができる機能を備えたものがある。
【０００３】
上記のようなスマートカードを着脱可能なカード装着装置は、情報機器に内蔵可能なタイプや、情報機器に備わる所定の通信端子に接続可能な外付けタイプのものがある。これらのカード装着装置にスマートカードを装着する際は、スマートカードをスライド式でカード装着装置の所定の開口部に挿入し、カード装着装置内のコネクタに押圧する構造が一般的である。
【０００４】
カード装着装置においてスマートカードからのデータを授受するには、露出状態でカード装着装置に配置されている端子電極と、スマートカードに備えるＩＣチップの端子とを電気的に接続させる必要がある。
【０００５】
スマートカードを抜き差しする開口部に、直接剥き出し状態の端子電極を配置させるため、防水構造は採用し難い。すなわち、この構造では、スマートカード挿入用の開口部から水が浸入することになるので、機器の防水性を確保することができない。
【０００６】
スマートカードリーダーに防水構造を持たせる提案が特許文献１に開示されている。特許文献１に開示された構成は、スマートカード全体を収納する収納部にスマートカードを収納した後、収納部の外周を囲むように備えたシール部材により、スマートカード及び収納部を外蓋で密着閉蓋するカードリーダを備えた携帯端末である。係る構成により、シール部材が収納部への水の進入を抑制できるため、カードリーダーの防水を計れる効果がある。
【特許文献１】特開平０８−０７７３１２号公報
【発明の開示】
【発明が解決しようとする課題】
【０００７】
しかしながら特許文献１に開示されている構成では、収納部へスマートカードを装着する際、スマートカードの外周縁部とシール部材とを係合させる必要があるため、スマートカードの着脱作業が煩雑であるという問題がある。
【０００８】
本発明は、スマートカードの着脱が容易で、かつ防水も可能にしたカード装着装置の提供を目的とする。
【課題を解決するための手段】
【０００９】
本発明のカード装着装置は、主面に端子を有するカード状メモリ媒体を装着可能なカード装着装置であって、筐体と、前記筐体に回動自在に支持され、前記筐体の主面に配された蓋体と、前記筐体の主面に対向する前記蓋体の内面に形成され、前記カード状メモリ媒体を保持可能な保持部と、前記筐体における前記蓋体と対向する主面に配され、前記カード状メモリ媒体の前記端子と接触可能な接触端子と、前記接触端子を配列した接触端子部と、前記接触端子部の周囲を囲む弾性部材とを備え、前記蓋体に対向する前記弾性部材の先端面は、前記蓋体が前記筐体の主面に近接する位置にある時、前記蓋体の内面に面状に当接する面当接可能な高さを有することを特徴としている。
【発明の効果】
【００１０】
本発明によれば、端子の周囲のみにシール部材を配置し、蓋体を筐体の主面に近接対向する位置まで回動させることで接触端子を密閉できる構造としたので、スマートカードの着脱が容易であるとともに、接触端子の防水も可能である。
【発明を実施するための最良の形態】
【００１１】
本発明のカード装着装置は、上記構成を基本として以下のような態様をとることができる。すなわち、本発明のカード装着装置において、前記弾性部材は、前記カード状メモリ媒体が装着された前記蓋体が前記筐体の主面に近接する位置にある時、前記カード状メモリ媒体の主面に面当接する構成とすることができる。このような構成とすることにより、カード状メモリ媒体を本装置に装着した際に、接触端子部を密閉状態にすることができ、外部から蓋体と筐体とに挟まれた空間に水分などの異物が侵入したとしても、異物が接触端子に付着するのを防ぐことができる。
【００１２】
本発明のカード装着装置において、前記弾性部材は、前記先端面が、前記接触端子の前記蓋体側端部よりも突出している構成とすることができる。
【００１３】
本発明のカード装着装置において、前記蓋体は、前記接触端子部および前記弾性部材に重ならない位置に貫通孔が形成されている構成とすることができる。このような構成とすることにより、本装置の防水性を確保しながら、本装置に装着されたカード状メモリ媒体を容易に取り出すことができる構成を実現することができる。
【００１４】
（実施の形態）
〔１．カード装着装置の構成〕
図１は、本実施の形態におけるカード装着装置の外観（前面側）を示す斜視図である。図２は、本実施の形態におけるカード装着装置の外観（背面側）を示す斜視図である。図３は、カード装着装置の蓋体が開いた状態を示す斜視図である。
【００１５】
図１及び図２に示すように、カード装着装置は、略直方体を成す筐体１内に、電気回路部品を内蔵して構成されている。図２に示すように、筐体１の背面１ｂには、パソコン５０（図６参照して後述）などの各種情報処理装置に接続可能なコネクタ２を備えている。筐体１の右側面１ｄ（カード装着装置を、前面１ａを使用者側に対向させて内面１ｃを上方に向けた姿勢にした時に、使用者から見て向かって右側に位置する側面）には、ネジ５ａを支持しているリブ４ａが突出形成されている。筐体１の左側面１ｅ（右側面１ｄの裏側の面）には、ネジ５ｂを支持しているリブ４ｂが突出形成されている。ネジ５ａ及び５ｂは、後述のパソコン５０に形成されたネジ穴（不図示）に螺結させることができる。また、筐体１の上面１ｆ（前面１ａ、背面１ｂ、右側面１ｄ及び左側面１ｅに隣接する一方の面）には、蓋体３、ロックレバー１４を備えている。
【００１６】
蓋体３は、主に、主平面が長方形である略板状の部材で形成されている。蓋体３の略板状の部材は、主平面の面積が少なくともスマートカード１００（後述）の主平面の面積よりも大きく形成されている。また、蓋体３は、略板状の部材の一方の長辺部近傍が、支軸３１を介して筐体１に支持されている。また、蓋体３は、支軸３１の軸回りに矢印Ａ及びＢに示す方向へ回動自在に筐体１に支持されている。蓋体３は、少なくとも筐体１の内面１ｃを閉塞する閉塞位置と、内面１ｃを開放する開放位置との間を、回動可能である。図１及び図２は蓋体３が閉塞位置にある状態を示し、図３は蓋体３が開放位置にある状態を示している。なお、開放位置にある時、筐体１の上面１ｆからスマートカード１００（後述）を挿入することができる位置まで開口部３４は回動している。
【００１７】
また、蓋体３は、主平面の略中央に長円形の開口部３２が形成されている。開口部３２は、カード装着装置内に収納されているスマートカード１００（後述）の裏面１００ｂの一部を露出させるものであり、使用者がスマートカード１００（後述）をカード装着装置から抜き出す際に指などを挿入することができる部分である。なお、開口部３２の形状は一例であり、楕円形や長方形など、少なくともカード装着装置内に収納されているスマートカード１００（後述）を装置外部から指先などで接触可能な形状及び大きさであればよい。また、開口部３２は、少なくとも接触端子部１１及びシール部材１２と重ならない位置に形成されており、これにより蓋体３を筐体１に近接させた閉塞位置では、シール部材１２によって囲まれた空間（接触端子部１１が配されている空間）に水分などの異物が侵入するのを防止している。また、開口部３２は、使用者がスマートカード１００（後述）をカード装着装置から抜き出す際に、スマートカード１００（後述）をスムーズにスライド可能にする観点から、蓋体３の表面３ａの略中央に形成することが好ましい。開口部３２を蓋体３の表面３ａの略中央に形成することにより、スマートカード１００（後述）をカード保持部３３（詳細は後述）に対して略平行に移動させることができ、スムーズにスライドさせることができる。
【００１８】
また、蓋体３は、筐体１の内面１ｃに対向する裏面３ｂに、スマートカード１００（後述）を保持可能な一対のカード保持部３３（図３参照）を備えている。カード保持部３３は、蓋体３の裏面における両端近傍において突出形成された、断面形状が略Ｌ字型の部材である。また、カード保持部３３は、蓋体３の短辺に沿って形成されている。また、蓋体３は、一対のカード保持部３３に挟まれた断面Ｌ字形状の部分に、スマートカード１００（後述）を挿入可能な開口部３４が形成されている。開口部３４は、幅寸法が少なくともスマートカード１００（後述）の長手方向の寸法よりも大きく形成されている。
【００１９】
ロックレバー１４は、矢印Ｅ及びＦに示す方向へスライド可能に配されている。ロックレバー１４は、図１及び図２に示す位置にある時、蓋体３に形成された爪部３５（後述）に係合し、蓋体３を閉塞位置で位置決めしている。また、ロックレバー１４が図３に示す位置にある時、蓋体３に形成された爪部３５との係合が解除され、蓋体３を回動可能な状態となる。
【００２０】
図４は、筐体１の内面１ｃの構成を明確に図示したものであり、蓋体３の図示を省略したカード装着装置の構成を示す。図４に示すように、内面１ｃには、接触端子部１１、シール部材１２、付勢部材１３が配されている。
【００２１】
接触端子部１１は、複数（本実施の形態では、スマートカード１００の端子１０１における接触領域の数と同数の８個）の接触端子１１ａを備えている。接触端子１１ａは、弾性を有する略板状の金属で形成されている。接触端子部１１の周囲には、シール部材１２が配されている。
【００２２】
シール部材１２は、接触端子部１１の周囲を囲うように配され、内面１ｃに接着剤などで密着固定されている。本実施の形態では、シール部材１２は、弾性を有する樹脂材料で形成されているが、少なくとも上面１２ａの法線方向に圧縮変形可能であれば樹脂に限らない。本実施の形態では、シール部材１２は、繰り返して圧縮変形しても硬度の低下が少なく、温度変化及び繰り返し使用に対する硬度の変化が少ないシリコーンフォームで形成した。
【００２３】
付勢部材１３は、蓋体３を開放位置に付勢するための部材であり、本実施の形態では板バネで形成した。付勢部材１３は、板バネに限らず、少なくとも蓋体３を開放位置に向かって付勢することができれば、コイルバネや弾性を有する樹脂などで形成してもよい。また、本実施の形態では、付勢部材１３を開口部３２に関し接触端子部１１の反対側に備えた構成であるが、例えば開口部３２とロックレバー１４との間に備える等、付勢部材１３の配置は適宜選択することができる。なお、付勢部材１３を備えることは必須ではなく、使用者が手動で蓋体３を開放位置へ回動させる構成としてもよい。
【００２４】
図５は、スマートカードをカード装着装置へ挿入する様子を示す斜視図である。スマートカード１００は、国際規格ＩＳＯ７８１６に基づき物理的特性や電気的特性が規定されているとともに、日本工業規格ＪＩＳＸ６３０３に物理的特性や外部端子の位置・寸法などが規定されている。図５に示すスマートカード１００は、これらの規格に準拠しており、例えば幅約９５ｍｍ、奥行約５４ｍｍ、厚さ約０．５〜１．０ｍｍの大きさを有するカード状の本体にＩＣチップ（集積回路）を内蔵して構成されている。また、スマートカード１００の少なくとも一方の主面１００ａには、ＩＣチップに電気的に接続された端子１０１が配されている。ＩＣチップは、セキュリティ情報などの各種情報を記憶することができる機能を有するものや、演算処理を実行することができる機能を有するものがある。端子１０１の位置や寸法についても、ＪＩＳＸ６３０３規格に規定されており、カード装着装置はこの規格に準拠したスマートカードに対応するために接触端子部１１及び接触端子１１ａの位置や寸法が決められている。
【００２５】
スマートカード１００をカード装着装置へ挿入する際は、スマートカード１００を、図５に示すように端子１０１が向かって右側に位置しかつ主面１００ａが内面１ｃに対向する姿勢にして、開口部３４に挿入する。開口部３４に挿入されたスマートカード１００は、カード保持部３３により位置規制されて、蓋体３に保持される。次に、蓋体３を矢印Ｂに示す方向へ回動させることで、蓋体３はスマートカード１００を保持したまま、閉塞位置まで変位する。次に、蓋体３を閉塞位置まで変位させた状態で、ロックレバー１４を図５に示す位置から矢印Ｆに示す方向へスライドさせることにより、蓋体３を閉塞位置で固定することができる。これにより、スマートカード１００の装着動作が完了する。蓋体３を閉塞位置まで回動させることにより、接触端子部１１における接触端子１１ａと端子１０１とが接触し、電気的に接続された状態になる。
【００２６】
以下、パソコン５０の構成について説明する。
【００２７】
図６は、本実施の形態におけるカード装着装置を着脱可能な情報処理装置の一例であるパーソナルコンピューター（以下、パソコンと称する）の斜視図である。図７は、カード装着装置がパソコンに装着された状態を示す平面図である。本実施の形態のカード装着装置は、図６に示すパーソナルコンピューターなどの情報処理装置に着脱可能である。
【００２８】
図６に示すように、パソコン５０は、略直方体の筐体５１内に、中央演算処理装置や記憶媒体などを内蔵している。また、パソコン５０は、筐体５１の主平面上に画像などの様々な情報を表示することができるディスプレイ５２を備えている。また、筐体５１においてディスプレイ５２を備えている面には、使用者が様々な情報の入力を行うことができる操作部５３を備えている。また、筐体５１の側面５１ａには、カード装着装置のコネクタ２（図２参照）と電気的に接続可能なコネクタ（不図示）を備えている。また、側面５１ａには、ネジ５ａ及び５ｂを螺結可能なネジ穴（不図示）を備えている。
【００２９】
図７に示すように、カード装着装置の背面１ｂとパソコン５０の側面５１ａとを対向させ、コネクタ同士を接続するとともに、ネジ５ａ及び５ｂを筐体５１の側面５１ａに備えるネジ穴（不図示）に螺結させることにより、カード装着装置をパソコン５０に機械的に装着することができるとともに、コネクタ同士が電気的に接続された状態とすることができる。カード装着装置をパソコン５０に電気的に接続することにより、パソコン５０とカード装着装置との間で情報の交信を行うことができる。例えば、カード装着装置に、記憶領域を有するＩＣチップが搭載されたスマートカード１００（図５参照）を装着することにより、パソコン５０を操作してスマートカード１００のＩＣチップから情報を読み出したり、ＩＣチップに情報を書き込んだりすることができる。また、スマートカード１００がセキュリティシステムにおける認証を行うためのカードである場合は、パソコン５０がスマートカード１００のＩＣチップから認証情報を読み出し、パソコン５０内において認証作業を実行することができる。
【００３０】
〔２．スマートカード１００の着脱動作〕
図８、図９、図１０Ａ、図１１Ａは、図１におけるＺ−Ｚ部の断面を示す。図１０Ｂ、図１１Ｂは、図１におけるＹ−Ｙ部の断面を示す。
【００３１】
まず、図８は、スマートカード１００が未装着状態で、蓋体３が閉塞位置にある状態を示す。図８に示す状態では、蓋体３は、別途設けられたロック機構（不図示）により閉塞位置で固定されている。この時、蓋体３の裏面３ｂは、シール部材１２における裏面３ｂ側の上面１２ａに面状に当接する面当接している。よって、シール部材１２によって囲まれた空間（接触端子１１ａが配された空間）は、密閉状態となり、仮に蓋体３と内面１ｃとの間の空間に外部から水分が侵入したとしても、シール部材１２によって囲まれた空間へは水分は侵入せず、接触端子１１ａには水分は付着しない。
【００３２】
なお、シール部材１２は、図８に示す状態の時、蓋体３によって押圧されて僅かに圧縮変形している方が、より確実に接触端子部１１が配された空間の密閉性を確保できる。また、本実施の形態では、シール部材１２の上面１２ａが接触端子１１ａの蓋体３側端部よりも高いため、図８に示す状態では、蓋体３の裏面３ｂと接触端子部１１の接触端子１１ａとの間には空隙があり、両者は接触していない。よって、接触端子１１ａが長時間に亘って圧縮変形した状態にならないため、接触端子１１ａの塑性変形による弾性力の低下を防ぐことができる。
【００３３】
次に、ロックレバー１４（図１等参照）を図１に示す位置から矢印Ｅに示す方向へスライドさせて図３に示す位置までスライドさせると、ロックレバー１４に結合しているロック機構と爪部３５とのロック状態が解除され、蓋体３は、付勢部材１３（図４参照）による付勢力により、支軸３１の軸回りに矢印Ａに示す方向へ回動する。
【００３４】
図９は、蓋体３が開放位置まで回動した状態を示す。蓋体３は、図９に示す開放位置では、爪部３５が凹部１５の上端に形成された規制部１６に当接することで、矢印Ａに示す方向への回動が規制され、位置決めされている。
【００３５】
次に、開口部３４にスマートカード１００を矢印Ｃに示す方向へ挿入する。この時、スマートカード１００は、蓋体３の裏面３ｂに形成された一対のカード保持部３３（図１０Ｂを参照して後述）にガイドされながら矢印Ｃに示す方向へ挿入することができる。
【００３６】
図１０Ａ及び図１０Ｂは、スマートカード１００が蓋体３と内面１ｃとに挟まれた空間内に挿入された状態を示す。図１０Ｃは、図１０Ａにおける接触端子部１１近傍の要部断面図である。図１０Ｂに示すように、スマートカード１００は、蓋体３に形成されたカード保持部３３によって長手方向の両端が支持されることによって、蓋体３に保持されている。また、スマートカード１００が蓋体３内に挿入された状態では、図１０Ｂに示すように付勢部材１３の付勢部１３ａがスマートカード１００の主面１００ａに当接して接圧を与えているため、スマートカード１００はカード装着装置から抜ける方向（矢印Ｄに示す方向）へ容易に移動しない。したがって、蓋体３が開放位置にある時に、カード装着装置を開口部３４が鉛直下向きになる姿勢にしたとしても、カード装着装置内に挿入されているスマートカード１００が自重により落下することを防ぐことができる。次に、蓋体３を矢印Ｂに示す方向へ回動させる。
【００３７】
図１１Ａ及び図１１Ｂは、蓋体３が閉塞位置まで回動した状態を示す。図１１Ｃは、図１１Ａにおける接触端子部１１近傍の要部断面図である。図１１Ａ及び図１１Ｂに示すように、蓋体３を閉塞位置まで回動させると、スマートカード１００の主面１００ａがシール部材１２の上面１２ａに当接してシール部材１２を圧縮変形させ、スマートカード１００の端子１０１が接触端子部１１の接触端子１１ａに当接する。
【００３８】
具体的には、図１０Ｃに示すように、シール部材１２にスマートカード１００あるいは蓋体３が当接していない状態におけるシール部材１２の高さ寸法をｈ１１、内面１ｃに対する接触端子１１ａの高さ寸法をｈ１２とし、図１１Ｃに示すように蓋体３を閉塞位置に変位した状態における蓋体３の裏面３ｂと内面１ｃとの間隙をｈ２１，内面１ｃとスマートカード１００の主面１００ａとの間隙をｈ２２とした時、
ｈ２２≦ｈ１２
の関係を有するため、蓋体３を閉塞位置に変位させることで、端子１０１における８個の接触領域がそれぞれ接触端子１１ａを弾性変形させながら各接触端子１１ａに接触する。また、
ｈ２２＜ｈ１１
の関係を有することにより、蓋体３を閉塞位置に変位させることで、スマートカード１００がシール部材１２を圧縮変形させるため、接触端子部１１が配された空間を確実に密閉状態にすることができる。また、
ｈ２１≦ｈ１１
の関係を有することにより、図８に示すようにスマートカード１００がカード装着装置内に未挿入でかつ蓋体３を閉塞位置に変位させた状態において、シール部材１２の上面１２ａが蓋体３の裏面３ｂに当接（ｈ２１＝ｈ１１の時）あるいはシール部材１２を圧縮変形（ｈ２１＜ｈ１１の時）するため、接触端子部１１及びその周辺を密閉することができる。
【００３９】
また、図１１Ｄに示すように、シール部材１２は、接触端子部１１の周囲を囲むように配されているため、スマートカード１００を保持した蓋体３を閉塞位置に変位すると、スマートカード１００の端子１０１の周囲に当接し、接触端子部１１及び端子１０１を密閉状態にすることができる。
【００４０】
以上により、カード装着装置に対するスマートカード１００の装着動作が完了する。
【００４１】
カード装着装置に装着されたスマートカード１００を取り出す場合は、まず、ロックレバー１４を図１１Ｄに示す位置から矢印Ｅに示す方向へスライドさせ、図１２に示す位置へ変位させる。これにより、蓋体３は、閉塞位置でロックされている状態が解除される。蓋体３は、付勢部材１３により矢印Ａに示す方向への付勢力が与えられて、図１２に示す開放位置へ変位する。
【００４２】
次に、使用者は、開口部３２に指を挿入し、スマートカード１００の裏面１００ｂに指先を当接させる。そのまま指先を矢印Ｄに示す方向へ移動させて、指先とスマートカード１００の裏面１００ｂとの摩擦により、スマートカード１００を矢印Ｄに示す方向へスライドさせる。
【００４３】
スマートカード１００の一部が開口部３４を介して外部に突出する位置までスマートカード１００をスライドさせた後、スマートカード１００における開口部３４から突出した部位を摘んで矢印Ｄに示す方向へ引くことで、スマートカード１００をカード装着装置から抜き出すことができる。
【００４４】
スマートカード１００を抜き出した後は、筐体１と蓋体３との間に異物が侵入するのを防ぐために、速やかに蓋体３を閉塞位置へ変位させることが好ましい。
【００４５】
〔３．実施の形態の効果、他〕
本実施の形態によれば、接触端子部１１の周囲を囲むようにシール部材１２を備え、スマートカード１００を蓋体３に保持させて蓋体３を閉塞位置に位置させた時にシール部材１２が端子１０１の周囲に密接する構成としたことにより、蓋体３と筐体１との間の空間に水分や埃などの異物が侵入したとしても、異物が接触端子１１ａあるいは端子１０１に付着することを防ぐことができる。
【００４６】
また、シール部材１２を圧縮変形可能な材料で形成し、蓋体３を閉塞位置まで回動させた時にスマートカード１００でシール部材１２を押圧して圧縮変形させる構成としたことにより、接触端子部１１が配された空間（シール部材１２で囲まれた空間）の密閉性を向上させることができる。
【００４７】
また、上述のｈ１１、ｈ１２、ｈ２１及びｈ２２の関係を維持できる範囲で、蓋体３の開放状態から閉塞状態への移行に連動して、接触端子１１ａ（接触端子１１ａが接触端子部１１と一体化されている構成の場合には接触端子部１１）を蓋体３の方向に上昇する構成を採用すると、蓋体３が閉塞状態にある時のスマートカード１００の端子１０１と接触端子１１ａとをより確実な電気的接続を実現することができる。
【００４８】
また、蓋体３にスマートカード１００を保持していない状態で、蓋体３を閉塞位置まで回動させた時に、蓋体３の裏面３ｂがシール部材１２に当接、あるいは蓋体３の裏面３ｂがシール部材１２を押圧して圧縮変形させる構成としたことにより、スマートカード１００が未装着の状態であっても、接触端子部１１が配された空間（シール部材１２で囲まれた空間）を密閉することができ、接触端子１１ａに異物が付着することを軽減することができる。
【００４９】
また、蓋体３は、開放位置にある時に、爪部３５が規制部１６に当接する構成としたことにより、開口量を最小限にとどめることができるので、蓋体３と筐体１との間の空間に水分や埃などの異物が侵入するのを極力抑えることができる。
【００５０】
また、蓋体３を開放位置に向かって付勢する付勢部材１３を備えたことにより、蓋体３を閉塞位置から開放位置へ変位させる際に、ロックレバー１４を図１に示す位置から図３に示す位置へスライドさせることで蓋体３が開放位置へ変位されるため、蓋体３を開く際の手順が少なくてすむ。すなわち、付勢部材１３を備えない場合は、ロックレバー１４をスライドさせる操作と、蓋体３を閉塞位置から開放位置へ手動で回動させる操作が必要であるが、付勢部材１３を備えることにより、ロックレバー１４をスライドさせる操作のみで蓋体３を閉塞位置から開放位置へ変位させることができる。
【００５１】
また、付勢部材１３は、蓋体３に挿入されたスマートカード１００の主面１００ａに圧接するため、スマートカード１００の変位を抑えることができる。よって、カード装着装置を、蓋体３が開放位置にある状態でかつ開口部３４が鉛直下向きになる姿勢にしたとしても、スマートカード１００が装置から容易に脱落しない。したがって、落下によるスマートカード１００の損傷や紛失などを防ぐことができる。
【００５２】
また、シール部材１２を接触端子部１１の周囲を囲むように配したことにより、特許文献１に開示されたようなスマートカードの周囲を密閉する構成に比べて、シール部材１２を小型化することができる。したがって、シール部材１２を形成するための材料コストを削減することができる。
【００５３】
また、シール部材１２を接触端子部１１の周囲のみに配したことにより、蓋体３に貫通孔で構成された開口部３２を形成したとしても、接触端子部１１の内部に水分などの異物が付着するのを防ぐことができる。開口部３２を形成することができるので、容易にスマートカード１００を取り出すことができる構成を搭載することができる。また、図１１Ｄに示すように、開口部３２を接触端子部１１及びシール部材１２に重ならない位置に形成したことにより、蓋体３を閉塞位置に変位させた状態で、開口部３２を介して水分などの異物が筐体１と蓋体３との間の空間に侵入したとしても、水分などの異物が接触端子１１ａに付着することを防ぐことができる。
【００５４】
なお、本実施の形態では、スマートカード１００を装着可能なカード装着装置としたが、装着可能な媒体はスマートカードに限らない。少なくとも、一主面に電気的な接触端子を備えた媒体であればよい。
【００５５】
また、本実施の形態では、付勢部材１３を備えたが、必ずしも備える必要はない。付勢部材１３を備えない場合は、蓋体３のロック状態の解除後、使用者が手動で蓋体３を開放位置へ回動させることで、スマートカード１００を着脱可能な状態にすることができる。
【００５６】
また、本実施の形態では、スマートカード１００を取り出しやすくするために、蓋体３の略中央に開口部３２を備えたが、図１３に示すように蓋体３の端部に切り欠き部３２ａを形成する構成とすることができる。図１３に示す構成によれば、スマートカード１００をカード装着装置から抜き出す際、蓋体３を開放位置へ回動させることで、スマートカード１００の端部を掴める状態になる。使用者は、スマートカード１００の端部を掴み、矢印Ｄに示す方向へスライドさせることで、スマートカード１００をカード装着装置から抜き出すことができる。すなわち、本実施の形態の構成ではスマートカード１００をスライドさせる操作と、スマートカード１００をカード装着装置から抜き出す操作とを独立して行う必要があったが、図１３に示す構成ではスライド操作と抜き出し操作とを一度に行うことができる。
【００５７】
また、本実施の形態のカード装着装置は、図５に示すようにパソコン５０に対して着脱可能なタイプ（いわゆる外付けタイプ）としたが、パソコン５０などの情報処理装置に内蔵されるタイプにも適用できる。
【００５８】
また、本発明のカード装着装置は、本実施の形態のようにモバイル型パソコンに着脱可能なカードリーダーに限らず、ＥＴＣ車載器（ETC:Electronic Toll Collection System）、携帯電話端末に搭載されるＳＩＭカードスロット（SIM:Subscriber Identity Module）に応用が可能である。特に、オートバイ用ＥＴＣ車載器や携帯電話端末などのように、屋外使用が可能な機器に搭載することでその効果を発揮する。
【産業上の利用可能性】
【００５９】
本発明は、主面に端子を備えたカード状メモリ媒体を着脱可能なカード装着装置に有用である。
【図面の簡単な説明】
【００６０】
【図１】本実施の形態におけるカード装着装置の外観（前面側）を示す斜視図
【図２】本実施の形態におけるカード装着装置の外観（背面側）を示す斜視図
【図３】カード装着装置の蓋体が開いた状態を示す斜視図
【図４】筐体の構成を示す斜視図
【図５】スマートカード及びカード装着装置の斜視図
【図６】本実施の形態におけるカード装着装置を着脱可能な情報処理装置の一例であるパーソナルコンピューターの斜視図
【図７】カード装着装置がパーソナルコンピューターに装着された状態を示す平面図
【図８】スマートカードが未装着状態のカード装着装置の断面図
【図９】蓋体が開放位置にある時のカード装着装置の断面図
【図１０Ａ】スマートカードが挿入された状態のカード装着装置の断面図
【図１０Ｂ】スマートカードが挿入された状態のカード装着装置の断面図
【図１０Ｃ】カード装着装置の要部断面図
【図１１Ａ】蓋体が閉塞位置にある時のカード装着装置の断面図
【図１１Ｂ】蓋体が閉塞位置にある時のカード装着装置の断面図
【図１１Ｃ】カード装着装置の要部断面図
【図１１Ｄ】蓋体が閉塞位置にある時のカード装着装置の平面図
【図１２】スマートカードが挿入された状態のカード装着装置の斜視図
【図１３】カード装着装置の変形例を示す斜視図
【符号の説明】
【００６１】
１  筐体
３  蓋体
１１  接触端子部
１２  シール部材
【図１】
2010146200.tif 000003
【図２】
2010146200.tif 000004
【図３】
2010146200.tif 000005
【図４】
2010146200.tif 000006
【図５】
2010146200.tif 000007
【図６】
2010146200.tif 000008
【図７】
2010146200.tif 000009
【図８】
2010146200.tif 000010
【図９】
2010146200.tif 000011
【図１０Ａ】
2010146200.tif 000012
【図１０Ｂ】
2010146200.tif 000013
【図１０Ｃ】
2010146200.tif 000014
【図１１Ａ】
2010146200.tif 000015
【図１１Ｂ】
2010146200.tif 000016
【図１１Ｃ】
2010146200.tif 000017
【図１１Ｄ】
2010146200.tif 000018
【図１２】
2010146200.tif 000019
【図１３】
2010146200.tif 000020